(57)【要約】【課題】強制同時給排気による浴室用換気乾燥機を提供すること。【解決手段】浴室の換気を強制同時給排気とする。筐体２内に給気用ファンユニット１ａと排気用ファンユニット１ｂを装備し、給気用ファン５で送風する外気をヒータ８で加温し案内板７に沿って浴室内に給気する。案内板の裏面側には加温されない外気を流し筐体の加熱を防ぐ。還気は排気用ファンユニット１ｂで屋外に排出する。１坪タイプの浴室の場合は給気及び排気風量は各々１５０ｍ３／ｈから２００ｍ３／ｈとし、給気側にヒータを設けたことで外気が浴室内に比べて温度が低い場合や湿度が高い場合にも乾燥機能が低下しない。また入浴中の不快な冷気の対策にも効果を発揮する。【選択図】図３
2005221178.tif 000002
【特許請求の範囲】
【請求項１】
浴室の天井あるいは壁の適所に排気用ファンユニットと給気用ファンユニットを備え、給気ファンユニット側に加温ヒーターを設けたことを特徴とする浴室用強制同時給排気型換気装置。
【請求項２】
排気用ファンユニットと給気用ファンユニットを分離して設置した請求項１記載の浴室用強制同時給排気型換気装置。
【請求項３】
排気用ファンユニットと給気用ファンユニットが一つの筐体の中に納められた請求項１記載の浴室用強制同時給排気型換気装置。
【請求項４】
給気用ファンユニットの加温ヒータの風上に塵取り用のフィルターを設けた請求項１記載の浴室用強制同時給排気型換気装置。
【請求項５】
ヒータの熱が筐体の外部に伝わらないように加温空気を浴室内へ誘導する案内板の裏面に空気の流れを設けた請求項１〜４のいずれか１項に記載の浴室用強制同時給排気型換気装置。
【発明の詳細な説明】
【技術分野】
【０００１】
本発明は、一般住宅の浴室用換気乾燥装置に関する。
【背景技術】
【０００２】
換気扇が主流であった浴室市場に乾燥・暖房機が新規参入したためと推測されるが、乾燥・暖房機の換気方法はφ１００のダクトを有する第３種換気法（排気：機械換気、給気：自然換気）が殆どである。
【０００３】
乾燥・暖房機における従来技術の主な方式は浴室内をヒータで暖め、湿度（潜熱）を温度（顕熱）変換することで乾燥促進を図る方法であり、５ｋｇの洗濯物が乾くまでの所要時間は４時間を越えている。上市されている浴室用換気乾燥機に於いては、概ね、乾燥ヒータの消費電力は１４００Ｗ、乾燥時の排気量は４０ｍ３／ｈである。
【０００４】
東京消防庁の「浴室に設ける天井組込み型衣料乾燥機・暖房等用電気機器の設置基準」によると器機の本体表面及び可燃物との接触面の温度限度値は８５℃（基準周囲温度：３０℃）としており、ヒータの温度が伝達し難い構造にする配慮は欠かせない。
【０００５】
第３種換気法の場合、換気扇を運転しても浴室内の湿度はなかなかとりきれず、殆どの家庭の主婦は、経験的に換気扇を運転中に浴室の窓を開けて外気を取入れている。この換気で乾燥させる方法は合理的且つ経済的でその効果は大きい。
【０００６】
換気で乾燥、つまり浴室を強制的に給気し排気する第１種換気法（排気・給気とも機械換気）の機能効果は高いが、冬場の入浴中に冷気（給気）を感じる不快感の欠点がある。一方、この欠点を補う直交素子（熱交換器）を利用した方式の先行技術は多数あるが、直交素子自体にカビ発生等の恐れがあり実用的には普及していない。
【０００７】
本発明は浴室を利用した洗濯物の乾燥時の消費電力の低減とヒータの熱伝導の予防方法に着目し、第３種換気法と第１種換気法の短所・長所を比較検討することで新たな解決方法を見出し、経済的な乾燥の実現と快適な換気を提案するものである。
【０００８】
本願発明に係る先行技術としては、（１）特開平９−１２２３９０号と（２）特開平１０−２６７３４９号が挙げられる。（１）は給気経路にダンパーが設置されダンパーが閉鎖されている場合は、循環送風機として熱交換機によって加温された空気の循環機能を果たし、排気送風機は浴室内の排気機能を果たしている。また、循環送風機はダンパーが開いた場合でも、浴室内の空気が循環されているので給気専用のファンユニットではなく常に循環を兼ねているので給気量の比率は少ない。（２）は第３種換気法であり、給気側にファンの設置が無く自然な給気であり、排気側にのみファンが設置されており機械的排気が行われる。これに対し本願発明は常時強制給排気を行うものである。
【特許文献１】特開平９−１２２３９０号公報
【特許文献２】特開平１０−２６７３４９号公報
【発明の開示】
【発明が解決しようとする課題】
【０００９】
解決しようとする問題点は、浴室内を強制同時給排気するなかで、強制給気による冷気の対策とヒータの温度が機器の本体表面に伝達しがたい構造を提供することである。
【課題を解決するための手段】
【００１０】
本発明は、「換気による乾燥」のメカニズムによって浴室と洗濯物の乾燥を合理的経済的に実現するため、浴室の換気を強制同時給排気とし、浴室の天井あるいは壁の適所に排気用ファンユニットと給気用ファンユニットを備え、給気用ファンユニット側に加温ヒーターを設けることを特徴としており、目安として１坪タイプの浴室の場合は、給気及び排気風量は各々１５０ｍ３／ｈ〜２００ｍ３／ｈとし、給気する外気が浴室内に比べて温度が低い場合や湿度が高い場合には、乾燥機能が低下しないようにこれをアシストするヒータを給気用ファンユニット側に設ける。このヒータの効果は入浴中の不快な冷気の対策にも効果を発揮する。
【００１１】
請求項２の発明は、浴室内において排気用ファンユニットと給気用ファンユニットの距離をおき、分離装着することで排気と給気のエアーショートを低減する。これによって死角となるゾーンの換気が有効に行える。また、すでに換気扇が取り付いている浴室に乾燥機能を追加希望されるユーザには、ヒータが内蔵されている給気用ファンユニットのみの取付けを行いユーザの費用負担が軽減される。
【００１２】
請求項３の発明は、排気用ファンユニットと給気用ファンユニットが一つの筐体の中に納まっているので寸法的な限度はあるが、従来の浴室用換気乾燥機との互換性を可能とするものである。ダクト配管は排気用と給気用を設ける。
【００１３】
請求項４の発明は、給気用ファンユニットの加温ヒータの風上又はファンケースの吸い込み部分にサランネットのような給気用フィルタを設けることで外気を取り入れる際に塵等が浴室内に侵入しないように予防したものである。
【００１４】
請求項５の発明は、放熱製の高い材質の部材、例えばアルミニウム板材などを使用し、外気の案内板の近傍に加温ヒータを設け外気を加温するが、案内板の加熱により筐体への熱伝導による事故の恐れがあるので、案内板の裏面に加温されていない空気の流れを設けることで熱伝導を低減させるものである。これによって過昇予防用のセンサやヒューズを等が万一動作しない場合でも火災に至らない安全を確保することが可能である。案内板は風向を制御するため波状に型成形してもよく、放熱面積も増大する。
【発明の効果】
【００１５】
本発明によれば、浴室の乾燥機として消費電力１４００Ｗのヒータを必要としていたものがおよそ４００Ｗのヒータに低減可能となり、大幅な省エネが可能である。従来の乾燥・暖房機に比べて制御等の構造が簡単であるのでコスト低減も期待できる。
【発明を実施するための最良の形態】
【００１６】
マンション等の集合住宅によく使用されている浴室換気・乾燥機に対するマンションメーカー社内試験データによれば、第３種換気法に基づいた温風循環量１６０ｍ３／ｈ、乾燥消費電力３２０×３Ｗの機器において、使用している３本のヒータの内２本の通電を停止した状態、即ち１本のヒータ（乾燥消費電力３２０Ｗ）での運転でも乾燥は可能との判断をされている。乾燥は通気、即ち「換気による乾燥」を実証した例である。本発明の最良の形態は排気用ファンユニットと給気用ファンユニットを分離配置し強制同時給排気を行うことである。ＤＣモータと可変速制御基板を使用してファンの速調をすることで入浴中の換気や洗濯物の乾燥などの生活場面に合わせた運転を選択することでより合理的な換気乾燥効果を実現することができる。
【実施例１】
【００１７】
図１は、本発明の同時給排気型一体型換気装置１を浴室３０に設置した概略を示す配置図である。図２は、本発明の排気用ファンユニットと給気用ファンユニットが一つの筐体に一体化した同時給排気型一体型換気装置１の外観を示す斜視図である。２は筐体であり浴室の天井にはめ込まれる。１５は化粧パネルで浴室内の天井に見える位置に配置される。３は給気口、１０は排気口を示し、各々ダクト３１と３２のそれぞれの配管によって建物の外壁等まで導かれている。運転時には給気口３を経て内蔵されたヒータ８によって加温された外気が化粧パネル１５の一部に設けられた給気吹出し口３ａから浴室内に給気され、排気吸入口１０ａから浴室内の湿った空気が吸い込まれ排気口１０を経て屋外へ排出され強制同時給排気が形成される。
【００１８】
図３は、前記の同時給排気型一体型換気装置１の構造を示す説明図である。装置全体を包む筐体２の内部には給気用ファンユニット１ａと排気用ファンユニット１ｂが一体に設置されており、７は案内板であり、給気用モータ４により駆動される給気用ファン５により、給気口３から誘引された外気を浴室３０内へ導くことを示す。８はヒータであり乾燥運転と入浴時の不快な冷気を加温するヒータとしての役割を果たしている。１４は給気用フィルタであり外気からの塵侵入予防の役割を果たしている。６は給気用ファンケースであり、給気用ファン５の外気取込み口６ａの下方に位置する化粧パネル１５の一部に仕切板９が備えられ外気の拡散を防いでいる。
【００１９】
排気用ファンユニット１ｂの構成は、排気用モータ１１で駆動される排気用ファン１２と排気用ファンケース１３により浴室３０内の湿った空気を排気吸入口１０ａから吸い込み、排気口１０を経て屋外へ排出される。排気用ファンユニット１ｂと給気用ファンユニット１ａは間仕切板２ａにより互いの機能が独立して作動するようになっている。
【００２０】
図４は、運転用コントローラ１６の正面図である。電源スイッチ１７を押すと時間設定表示ランプ１８ａの一つが点灯、ヒータスイッチ１９のＯＮ表示ランプ１９ａが点灯し運転を開始する。時間設定の変更は時間設定スイッチ１８を押すことにより時間設定が切り替わる。夏場での入浴時にはヒータスイッチ１９を押すとＯＮ表示ランプが消灯し、ヒータの通電がＯＦＦになる。また入浴時のファンの運転音が気になる場合は低速スイッチ２０を押すと低速表示ランプ２０ａが点灯し排気用ファン・給気用ファンともに低速運転に切り替わる。運転を停止する場合は電源スイッチを押すと全ての表示ランプが消灯する。ヒータ使用時はヒータの電源がＯＦＦになっても給気ファンのみは約３０秒後に遅延運転を終えて停止する。
【実施例２】
【００２１】
図５は、前記の給気用ファンユニット１ａと排気用ファンユニット１ｂとを間仕切板２ａの位置で分離してそれぞれを給気装置２１及び排気装置２５として設置した場合の浴室３０における配置図である。給気装置２１を図６に示す。同（ａ）図は外観を示す斜視図であり、筐体２２の内部に給気用ファンユニット１ａ（図３参照）を装備している。２４は給気パネルであり給気吹出し口３ａから加温された外気を供給する。同（ｂ）図は給気装置２１の構造説明図であり、図３に示した給気用ファンユニット１ａと同じ構造である。
【００２２】
図７に排気装置２５を示す。同（ａ）図は外観を示す斜視図であり、筐体２６の内部には排気用ファンユニット１ｂを装備している。同（ｂ）図は構造を示す説明図である。２７は還気パネルであり、還流する浴室内の湿った空気を排気用ファン１２と排気用ファンケース１３によって吸い込み、排気口１０を経て屋外へ排出される。上述した給気装置及び排気装置の運転方法は実施例１と同様である。
【実施例３】
【００２３】
図８（ａ）図は、給気口が設けられていない場合の同時給排気型一体型換気装置１’の斜視図である。同（ｂ）図はその構造を示す説明図である。前出の図３で示した実施例１の構造に対して給気口３を外し、代わりにブラインド板２８で閉じ、仕切板９を外す。さらに化粧パネル１５を循環用化粧パネル２９に変更すれば、従来型の乾燥・暖房機の代用とすることができる。給気用ファン５によって誘引された浴室内の帰還空気をヒータ８によって再度加温している。案内板７は放熱製の高いアルミニウム板を使用し、近傍に設けられたヒータ８によって加熱され、筐体２へ異常な熱伝導の恐れがあるので過昇対策として案内板７の裏面に加温されていない空気の流れを設けることで熱伝導を低減させている。環流する湿った空気の一部が排気用ファンユニット１ｂを通じて排気口１０から屋外へ排出される。
【産業上の利用可能性】
【００２４】
強制同時給排気によって実現される「換気による乾燥」はヒータによる乾燥と比べて消費電力が極めて削減される。設置するヒータは電気ヒータやセラミックヒータであり、過昇予防のヒューズや温度制御のサーモスタット等は万一の事態を考えると充分な安全配慮が必要である。特にヒータを使用する機器はヒューズやサーモスタット等の安全装置の信頼性に頼るところが大きい。しかしながら機器の構造によっても加熱予防が可能であるならば積極的に実施すべきである。ヒータによって加熱される案内板の裏面に空気の流れを設けて熱伝導を低減させる方法は、天井等の隠蔽部分に設置させる機器の安全性が求められる分野、即ち浴室用乾燥機に極めて有効な措置である。
【図面の簡単な説明】
【００２５】
【図１】本発明の強制同時給排気型一体型換気装置の配置図である。（実施例１）
【図２】前記強制同時給排気型一体型換気装置の斜視図である。（実施例１）
【図３】前記強制同時給排気型一体型換気装置の構造を示す説明図である。（実施例１）
【図４】前記換気装置の運転コントローラの正面図である。（実施例１）
【図５】本発明の強制同時給排気分離型換気装置の配置図である。（実施例２）
【図６】（ａ）図は給気装置の外観を示す斜視図であり、（ｂ）図はその構造を示す説明図である。（実施例２）
【図７】（ａ）図は排気装置の斜視図であり、（ｂ）図はその構造を示す説明図である。（実施例２）
【図８】（ａ）図は給気口が無い場合の斜視図であり、（ｂ）図はその構造を示す説明図である。（実施例３）
【符号の説明】
【００２６】
１    同時給排気型一体型換気装置
２    筐体
2a    間仕切板
３    給気口
４    給気用モータ
５    給気用ファン
７    案内板
８    ヒータ
９    仕切板
10    排気口
11    排気用モータ
12    排気用ファン
14    給気用フィルタ
15    化粧パネル
16    運転用コントローラ
21    給気装置
22    筐体
23    仕切板
24    給気パネル
25    排気装置
26    筐体
27    還気パネル
28    ブラインド板
29    循環用パネル
30    浴室
【図１】
2005221178.tif 000003
【図２】
2005221178.tif 000004
【図３】
2005221178.tif 000005
【図４】
2005221178.tif 000006
【図５】
2005221178.tif 000007
【図６】
2005221178.tif 000008
【図７】
2005221178.tif 000009
【図８】
2005221178.tif 000010